(57)【特許請求の範囲】
【請求項１】
ペン先を保護するための筒状のキャップ本体であって側面に取付穴が形成された弾性体からなるキャップ本体と、第１基部及び第２基部と前記第１基部及び前記第２基部間を連結する少なくとも１つの梁部と前記第１基部外側面に設けられた挟持部とを備えたクリップ部材とを具備し、前記第１基部及び前記第２基部が筆記具先端を受容し且つ前記挟持部が前記取付穴を介して前記キャップ本体外に延びるように前記クリップ部材を前記キャップ本体に対して設けた筆記具用キャップ。
【請求項２】
前記第１基部及び前記第２基部が環状に形成されている請求項１に記載の筆記具用キャップ。
【請求項３】
前記挟持部の後端には玉部が形成され、前記キャップ本体の外周面には前記玉部に対応する形状の凹部が形成され、前記玉部及び前記凹部が対向して配置された請求項１又は２に記載の筆記具用キャップ。
【請求項４】
前記第２基部が、前記凹部を越えて長手方向開口端側に延びている請求項３に記載の筆記具用キャップ。
【請求項５】
当該筆記具用キャップの外表面に、その内部と連通する少なくとも１つの貫通孔を形成した請求項１から４のいずれか１つに記載の筆記具用キャップ。
【請求項６】
前記キャップ本体先端部分の内壁によって保持され、当該筆記具用キャップを筆記具本体に装着すると、筆記具先端の筆記部と係合して筆記部をシールするシール部材をさらに具備した請求項１から５のいずれか１つに記載の筆記具用キャップ。
【請求項７】
前記キャップ本体が、その先端の頂部近傍に対応する場所以外にゲート部を有する型を用いて射出成形される請求項１から６のいずれか１つに記載の筆記具用キャップ。
【請求項８】
請求項１から７のいずれか１つに記載のキャップを装着した筆記具。
【発明の詳細な説明】
【技術分野】
【０００１】
本発明は筆記具用キャップ及び筆記具に関する。
【背景技術】
【０００２】
装飾の目的で、クリップ及び筐体を一体的に設けた内キャップを１次成形し、内キャップ全体を覆って内キャップより長い全長を有する外キャップを２次成形して形成された筆記具用キャップが公知である（特許文献１参照）。
【０００３】
また、筆記具を、コンピュータや電子手帳の入力手段であるタッチペンとして利用可能にする目的で、先端部にシャープペンシルの芯が出没可能な貫通孔を有し、軟質系弾性材料で形成された筆記具のキャップ状の筆記具用グリップが公知である（特許文献２参照）。
【０００４】
さらに、部品点数を少なくし、装飾の目的で、キャップ本体と、キャップ本体へ固定されるクリップ支持部及びクリップ支持部により支持されるクリップ片からなるクリップとを有する筆記具用キャップが公知である（特許文献３参照）。
【先行技術文献】
【特許文献】
【０００５】
【特許文献１】特開平１１−３４２６９７号公報
【特許文献２】特開平１１−１９８５８５号公報
【特許文献３】特開２００４−１３０６８１号公報
【発明の概要】
【発明が解決しようとする課題】
【０００６】
特許文献１の筆記具用キャップによれば、２色成形によって筆記具用キャップが形成されるが、その効果は装飾性を施すことにすぎない。従って、従来の筆記具用キャップと同様に、キャップ表面が滑りやすく、筆記具本体からの着脱がし難いという問題がある。また、表面が滑りやすいことによって、それを持った手や、収納した胸ポケット等からの脱落の危険もある。
【０００７】
特許文献２の筆記具用グリップは、弾性材料で形成されているため、特許文献１の筆記具用キャップに比べれば、滑りにくい構造である。しかしながら、特許文献２に記載されたものは、シャープペンシルをタッチペンとして利用可能にするためのグリップに過ぎず、キャップとしての機能は考慮されていない。すなわち、特許文献２の筆記具用グリップは、書類や衣類等の物品を挟持するためのクリップや、筆記具先端の筆記部からのインクの揮発を防止するためのシールゴム等を具備していない。仮にこの構造にクリップを取り付けようとすると、グリップ本体全体が弾性材料で形成されていることから、取り付け部分の強度が弱くなり、従って物品を安定して挟持することができない。さらに、全体が弾性材料で形成されていることから、垂直に落下した場合等、筆記具の軸線方向に力を受けたときに、座屈が生じ、筆記具先端の筆記部が損傷する恐れもある。
【０００８】
特許文献３の筆記具用キャップは、キャップ本体の内壁に設けられた嵌合部でのみ筆記具本体と嵌合するため、クリップ片を持ち上げて物品を挟持する際に、嵌合が緩む場合がある。さらに、この筆記具用キャップは、筆記具先端の筆記部からのインクの揮発を防止するためのシールゴムを配置するような構成とはなっていない。
【０００９】
そこで本発明は、滑りにくく且つ強度が確保され、クリップによって物品を安定して挟持できる筆記具用キャップ及び筆記具を提供することを目的とする。
【課題を解決するための手段】
【００１０】
前記課題を解決するために請求項１に記載の発明によれば、ペン先を保護するための筒状のキャップ本体であって側面に取付穴が形成された弾性体からなるキャップ本体と、第１基部及び第２基部と前記第１基部及び前記第２基部間を連結する少なくとも１つの梁部と前記第１基部外側面に設けられた挟持部とを備えたクリップ部材とを具備し、前記第１基部及び前記第２基部が筆記具先端を受容し且つ前記挟持部が前記取付穴を介して前記キャップ本体外に延びるように前記クリップ部材を前記キャップ本体に対して設けた筆記具用キャップが提供される。
【００１１】
すなわち、請求項１に記載の発明では、キャップ本体が弾性体からなるため、滑りにくい構造となっている。その一方で、キャップ本体を弾性体にすることによって強度が低下し、クリップ自体の取り付けが不安定なことから物品の挟持力が弱いという問題を、クリップ部材が第１基部、第２基部及び梁部を備えることによってキャップ本体を補強し、解消している。従って、本発明による筆記具用キャップは、滑りにくく且つ強度が確保され、クリップにより物品を安定して挟持できるという効果を奏する。
【００１２】
また、請求項２に記載の発明によれば請求項１に記載の発明において、前記第１基部及び前記第２基部が環状に形成されている筆記具用キャップが提供される。すなわち、請求項２に記載の発明では、第１基部及び第２基部が環状であることによって、筆記具用キャップは、全周方向からの負荷に対して補強される。
【００１３】
また、請求項３に記載の発明によれば請求項１又は２に記載の発明において、前記挟持部の後端には玉部が形成され、前記キャップ本体の外周面には前記玉部に対応する形状の凹部が形成され、前記玉部及び前記凹部が対向して配置された筆記具用キャップが提供される。すなわち、請求項３に記載の発明では、玉部及び凹部が対応する形状を有することから、書類や衣類等の挟持される物品も同様の形状に変形されることから、抜けにくく、よりしっかりと挟持をすることが可能となる。
【００１４】
また、請求項４に記載の発明によれば請求項３に記載の発明において、前記第２基部が、前記凹部を越えて長手方向開口端側に延びている筆記具用キャップが提供される。すなわち、請求項４に記載の発明では、物品の挟持時に負荷のかかりやすいキャップ本体の凹部を越えて第２基部が延びていることによって、キャップ本体が補強され、よりしっかりと挟持することができるようになる。
【００１５】
また、請求項５に記載の発明によれば請求項１から４のいずれか１つに記載の発明において、当該筆記具用キャップの外表面に、その内部と連通する少なくとも１つの貫通孔を形成した筆記具用キャップが提供される。すなわち、請求項５に記載の発明では、当該筆記具用キャップの筆記具本体に対する着脱時に、貫通孔を通して空気が自在に出入りすることが可能となる。従って、当該筆記具用キャップの内圧の上昇又は低下がなく、筆記具用キャップをスムーズに着脱することが可能となる。また、キャップを誤って飲みこんでしまった場合も、通気孔としての機能があるため窒息を防ぐことができる。
【００１６】
また、請求項６に記載の発明によれば請求項１から５のいずれか１つに記載の発明において、前記キャップ本体先端部分の内壁によって保持され、当該筆記具用キャップを筆記具本体に装着すると、筆記具先端の筆記部と係合して筆記部をシールするシール部材をさらに具備した筆記具用キャップが提供される。すなわち、請求項６に記載の発明では、筆記具が揮発性の高いインクを使用している場合に、筆記部がシールされることから、筆記部からのインクの揮発を防止することが可能となる。さらにシール部材とキャップの取り付けにおける密着性が高いので、シール部材が外れ難くなる。
【００１７】
また、請求項７に記載の発明によれば請求項１から６のいずれか１つに記載の発明において、前記キャップ本体が、その先端の頂部近傍に対応する場所以外にゲート部を有する型を用いて射出成形される筆記具用キャップが提供される。すなわち、請求項７に記載の発明では、ゲート残り（又はゲート跡）がキャップ本体の頂部には形成されないことから、美感を損なわず、また、頂部を筆跡の消去部材として使用する場合に、紙面等を傷つける心配もない。
【００１８】
また、請求項８に記載の発明によれば、請求項１から７のいずれか１つに記載のキャップを装着した筆記具が提供される。
【発明の効果】
【００１９】
各請求項に記載の発明によれば、滑りにくく且つ強度が確保され、クリップにより物品を安定して挟持できるという共通の効果を奏する。
【図面の簡単な説明】
【００２０】
【図１】筆記具用キャップの斜視図である。
【図２】筆記具用キャップの正面図である。
【図３】筆記具用キャップの平面図である。
【図４】筆記具用キャップの底面図である。
【図５】筆記具用キャップの右側面図である。
【図６】シールゴムを装着した筆記具用キャップの右側面図である。
【図７】筆記具用キャップの左側面図である。
【図８】筆記具用キャップの断面図である。
【図９】筆記具用キャップのクリップ部材の斜視図である。
【図１０】第２環状部を延伸させた筆記具用キャップの斜視図である。
【図１１】第２環状部を延伸させた筆記具用キャップの断面図である。
【図１２】第２環状部を延伸させた筆記具用キャップのクリップ部材の斜視図である。
【図１３】筆記具用キャップを装着した筆記具全体の断面図である。
【図１４】別の実施形態による筆記具用キャップの斜視図である。
【図１５】図１４に示される筆記具用キャップの断面図である。
【図１６】図１４に示される筆記具用キャップのクリップ部材の斜視図である。
【図１７】図１４に示される筆記具用キャップを装着した筆記具全体の断面図である。
【発明を実施するための形態】
【００２１】
図１は筆記具用キャップの斜視図である。１は筆記具用キャップ全体を示し、２はクリップ部材、３はキャップ本体を示す。
【００２２】
キャップ本体３の側面には、筆記具の中心軸線に対して対称に配置され、クリップ部材２を介して筆記具用キャップ１内部と連通する２つの貫通孔３ａが設けられている。キャップ本体３に貫通孔３ａが設けられていることによって、筆記具用キャップ１の筆記具本体に対する着脱時に、貫通孔３ａを介して筆記具用キャップ１内の空気が自由に出入りできるようになる。そのため、筆記具用キャップ１内圧の上昇又は低下がなく、筆記具用キャップ１をスムーズに着脱することが可能となる。また、２つの貫通孔３ａが軸対称に配置されることによって、２つの穴から空気の出入りが均等に行われ、軸対称に配置されていない場合に較べてよりスムーズな着脱が可能となる。なお、本実施形態では、貫通孔は２つであるが、１つ又は３つ以上であってもよく、外表面のどこに設けられていてもよい。
【００２３】
キャップ本体３の側面には、さらに、美的効果及び滑り止めのため、外周面に複数のディンプル３ｂが形成されている。ディンプルの代わりに、外周面周りに螺旋状に形成された溝による模様や、外周面に沿って環状に形成された溝による模様、又は、長手方向に延びる直線状に形成された溝を外周面に周りに複数配置した模様等であってもよい。
【００２４】
図２は、筆記具用キャップ１の正面図であり、図３はその平面図、図４はその底面図、図５はその右側面図、図６は、シールゴム８を装着した筆記具用キャップ１の右側面図であり、図７は、筆記具用キャップ１の左側面図であり、図８は、筆記具用キャップ１の断面図であり、図９は、筆記具用キャップ１のクリップ部材の斜視図である。
【００２５】
なお、本明細書では、筆記具用キャップの閉鎖端側を先端又は前側とし、筆記具用キャップの開口端側を後端又は後側とする。
【００２６】
図２乃至図９を参照しながらクリップ部材２について説明する。クリップ部材２は、第１基部４、第２基部５、第１基部４及び第２基部５間を連結する複数の梁部６、及び第１基部４の外周面に一体的に形成された挟持部７からなる。なお、本実施形態では、第１基部４及び第２基部５は環状に形成されており、以下、第１環状部４及び第２環状部５と称す。
【００２７】
第１環状部４は、後側の口径が前側の口径よりも大きく、その外観は略テーパー形状となっており、筆記具本体を受容するように構成されている。第１環状部４の内壁は、前端部及び後端部から内方に所定長さだけ略円筒形状に形成され、これら円筒形状で形成された領域間はテーパー状に形成されている。また、キャップ本体３の貫通孔に対応する部分には、筆記具用キャップ１の外部と内部とが連通するように、貫通孔と同様の形状をした切り欠き部（図示せず）が形成されている。さらに、後側の円筒形状の内壁部分には、長手方向に亘って中心軸線に向かって突出したガイド突起４ｂが等間隔に複数設けられている。ガイド突起４ｂについては後述する。
【００２８】
第２環状部５は、第１環状部４の後端部側の円筒形状と略同等の内径及び外径を有する略円筒形状に形成され、第１環状部４及び第２環状部５間を連結する複数の梁部６と共に、第１環状部４より後端側のキャップ本体３を補強している。
【００２９】
梁部６は、少なくとも１つ設けられ、本実施形態においては矩形であるが、楕円形等その他の形状であってもよい。梁部６を設けることによって、対応するキャップ本体３部分を補強することができ、且つ、各梁部６間のクリップ部材２の材料の節約及びクリップ部材２の軽量化が図れる。
【００３０】
挟持部７は、キャップ本体３との間に書類や衣類等の物品を、挟持することができるような弾性を有するように構成されている。挟持部７の後端には玉部７ａが一体的に形成される。
【００３１】
クリップ部材２を形成する材料として、ポリカーボネート、アクリロニトリル・ブタジエン・スチレン等の合成樹脂が挙げられる。しかしながら、挟持部７の屈曲時等における破断防止のため、弾性材料、特に以下に示すキャップ本体と同じ弾性材料を用いて形成してもよい。
【００３２】
キャップ本体３は、筆記具のペン先を保護するように、一端が閉鎖された弾性体からなる筒状の部材であり、その側面に取付穴３ｃが形成されている。キャップ本体３内にクリップ部材２の第１環状部４及び第２環状部５と梁部６が配置され、クリップ部材２の挟持部７が取付穴３ｃを介してキャップ本体３の外に延びるように設けられている。すなわち、キャップ本体３は、クリップ部材２の第１環状部４の前側の開口を閉鎖すると共に第２環状部５を越えて長手方向後端側に所定長さだけ円筒状に延び、筆記具本体が挿入される開口を形成している。
【００３３】
クリップ部材２の玉部７ａに対向するキャップ本体３の外周面には、玉部７ａに対応する形状をした凹部３ｄを形成してもよい。玉部７ａ及び凹部３ｄが対応する形状を有することによって、書類や衣類等の挟持される物品も同様の形状に変形されて、よりしっかりと挟持され、外れにくくなる。さらに、第２環状部５の後端が、凹部３ｄを越えて長手方向後端側に延びるようにクリップ部材２を形成することによっても、よりしっかりと挟持されるようになる。
【００３４】
キャップ本体３を形成する材料として、シリコーンゴム、ニトリルゴム、エチレンプロピレンゴム、エチレンプロピレンジエンゴム等のゴム材質やスチレン系エラストマー、オレフィン系エラストマー、ポリエステル系エラストマー等の熱可塑性エラストマーといった弾性材料、２種以上の弾性材料の混合物、及び、弾性材料と合成樹脂との混合物が挙げられる。
【００３５】
本実施形態の筆記具用キャップ１は、揮発性の高いインクを使用したボールペン等であることから、筆記具先端の筆記部からのインクの揮発を防止するために、シールゴム８がキャップ本体３内に配置されている。
【００３６】
本実施形態におけるシールゴム８は任意の弾性材料からなる弾性体からなり、図８に示されるように、両面に同軸に円形の凹部を有する略円板状であり、Ｈ型の縦断面形状を有している。なお、シールゴム８は、球状等その他形状であってもよい。
【００３７】
図８を参照すると、キャップ本体３の先端内壁には、長手方向に亘って中心軸線に向かって延びる複数のリブ３ｅが設けられ、シールゴム８を弾性変形させつつ挟持する構造となっている。リブ３ｅは、等間隔に配列され、３つ以上あることが好ましい。
【００３８】
キャップ本体３内にシールゴム８を配置した状態で筆記具用キャップ１に筆記具本体を挿入すると、筆記具先端の筆記部がシールゴム８と係合する。すなわち、筆記部がシールゴム８の中央部分を押圧すると、シールゴム８は弾性変形し、筆記部がシールゴム８内に埋没する。その結果、筆記部からのインクの揮発を防止することが可能となる。
【００３９】
さらに、製造工程においてシールゴム８をキャップ本体３内へ配置するとき、キャップ本体３が弾性体からなることから、シールゴム８の挿入時にキャップ本体３も弾性変形するため、シールゴム８の寸法公差が多少大きくても確実に配置することが可能となる。
【００４０】
なお、インクの揮発防止が必要のない筆記具の場合、筆記具用キャップはシールゴム８及びリブ３ｅを有していなくてもよい。
【００４１】
図１０は、第２環状部５を延伸させた筆記具用キャップ１の斜視図であり、図１１は、第２環状部５を延伸させた筆記具用キャップ１の断面図であり、図１２は、第２環状部５を延伸させた筆記具用キャップのクリップ部材２の斜視図である。図１０乃至図１２は、筆記具用キャップ１の第２環状部５を延伸させた点以外は、上述の実施形態と同様である。
【００４２】
図１０乃至図１２に示された筆記具用キャップ１では、クリップ部材２の第２環状部５を長手方向後端側に延伸させ且つその後端部には径方向外側に突出する凸部であるフランジ部５ａが形成されている。フランジ部５ａの分だけキャップ本体３の全長を短く形成することによって、筆記具用キャップ１の全長は上述の実施形態と変わらない。フランジ部５ａの外周面は、キャップ本体３のフランジ部５ａ近傍の外周面と同一面を形成するように形成される。
【００４３】
なお、上述のフランジ部５ａは、外周面がその他のキャップ本体３部分と同一面を形成するよう径方向の断面形状が長方形であったが、その他の断面形状、例えば円弧を有する形状や多角形の一部を有するような形状であってもよい。
【００４４】
筆記具用キャップ１の第２環状部５をキャップ本体３よりも長手方向後端側に延伸させることによって、筆記具用キャップ１の開口端部が補強され、開口端部の撓みが防止されることから、使用者が筆記具用キャップ１をしっかりと保持することが可能となる。また、キャップ本体３とは異なる素材を用いることによって、開口端部がその他のキャップ本体３部分とは異なる質感を有することから、装飾効果を得ることもできる。
【００４５】
図１３は、筆記具用キャップを装着した筆記具全体の断面図である。筆記具用キャップ１に筆記具本体９を挿入する際には、筆記具用キャップ１の中心軸線と筆記具本体９の中心軸線とが一致するように、真っ直ぐに挿入されることが望ましい。しかしながら、時として、筆記具用キャップ１に筆記具本体９が真っ直ぐ挿入されず、２つの中心軸線が斜めになった状態で挿入される。このため、両者をうまく嵌合させることができない場合がある。
【００４６】
そこで、上述のように、クリップ部材２の第１環状部４にガイド突起４ｂを設け、筆記具用キャップ１に筆記具本体９が斜めに挿入された場合であっても、最終的に嵌合が完了するときには両者の中心軸線は一致した状態に案内されるように構成される。すなわち、クリップ部材２の第１環状部４にガイド突起４ｂが設けられていることによって、ガイド突起４ｂ頂点部分を通るクリップ部材２の第１環状部４の実質的な内径が、ガイド突起４ｂを有さない通常のキャップの内径と比較して小さくなる。そのため、第１環状部４と筆記具本体９との間のゆるみ（遊び）が少なくなり、筆記具本体９の挿入時に両中心軸線が形成し得る角度がより小さくなる。従って、筆記具本体９が斜めに挿入された場合において、第１環状部４のガイド突起４ｂと当接した筆記具本体９の外周との間の摩擦抵抗がより小さくなり、嵌合がスムーズに行われる。
【００４７】
また、ガイド突起４ｂを有することによって、筆記具本体９の外周との接触面積もより小さくなり、そのため摩擦抵抗もより小さくなる。なお、ガイド突起４ｂはその他の形状を有してもよく、その形状及び長手方向の長さは実験によって、筆記具本体９が斜めに挿入された場合であっても嵌合不良を起こさないように最適化される。
【００４８】
なお、本実施形態における筆記具用キャップ１の筆記具本体９との嵌合に関し、従来公知の嵌合構造を、クリップ部材２の第２環状部５よりも長手方向後端側のキャップ本体３の内壁又はクリップ部材２の第２環状部５の内壁に形成してもよい。
【００４９】
ガイド突起４ｂは、筆記具用キャップ１に対する筆記具本体９のセンタリングにも役立つ。すなわち、ガイド突起４ｂを有することによって、上述のように第１環状部４と筆記具本体９との間のゆるみが少なくなり、正確にセンタリングをすることができる。また、筆記具本体９のセンタリングは主にクリップ部材２の第１環状部４に設けられたガイド突起４ｂによって行われることから、筆記具用キャップ１の全長によらずセンタリングを行うことが可能となる。
【００５０】
さらに、このガイド突起４ｂは、例えば筆記時に、筆記具用キャップ１を筆記具本体９の後端部９ｄに取り付けた場合に、安定した圧入による嵌合を提供する。従って、ガイド突起４ｂ頂点部分を通るクリップ部材２の第１環状部４の内径と、筆記具本体９の後端部９ｄの外径との関係に加え、図１３における圧入距離Ｌの長さを最適に設計することによって、所望の嵌合力を得ることが可能となる。嵌合力を設定する１つの指針として、筆記具用キャップ１を筆記具本体９の後端部９ｄに嵌合した状態で、後述するように、キャップ本体３の頂部等を筆跡の消去部材として使用し、紙面等を擦過した場合に、安定しているか否かということが挙げられる。
【００５１】
筆記具用キャップ１は、例えば、２色成形によって作製することができる。２色成形を用いた場合には、まず、クリップ部材２を１次成形し、その後、キャップ本体３を２次成形することによって、筆記具用キャップが形成される。
【００５２】
２色成形は、通常、１次成形用及び２次成形用の金型とコアピンを用い、コアピン先端周りに筆記具用キャップを成形するが、射出成形時に、コアピンが一端でしか保持されていない場合は、コアピンの曲がり等が生じ、正確な寸法形状に成形できない場合がある。すなわち、射出成形時にコアピンの先端部は、通常、固定されておらず、他端によってのみ保持されている。
【００５３】
そこで、射出成形時に、金型からキャビティ内へ突出する固定ピンがコアピン先端に当接し支持することによって、コアピンの先端部を固定し、射出成形時のコアピンの曲がりを防止している。なお、射出成形中もコアピン先端には固定ピンが当接しているため、成形品は固定ピンの形状で空隙を有する。これを利用し、固定ピンの横断面形状を選択することによって、１次成形ではクリップ部材２の切り欠き部４ａを、２次成形ではキャップ本体３の貫通孔３ａを、成形することができる。なお、固定ピンはコアピン側に設けられてもよい。
【００５４】
筆記具用キャップ１の表面の大部分を占めるキャップ本体３が、弾性材料からなることから、筆記具用キャップ１及びそれを装着した筆記具は滑りにくい。また、クリップ部材２が第１環状部４、第２環状部５、及び梁部６を有することによって、挟持動作時に特に負荷がかかる部分が補強されるため、強度を確保することができ、物品を安定して挟持することができる。従って、筆記具を持った手や、収納した胸ポケット等からの脱落の危険性が、従来の筆記具に較べて少なくなるという利点がある。
【００５５】
本実施形態では、第１基部４及び第１基部５を環状に形成したが、キャップ本体を補強することができる任意の形状、例えば、Ｃ字型の横断面を有する形状であってもよい。また、本実施形態では、２つの基部を有していたが、３つ以上であってもよく、その場合には、それら基部間は少なくとも１つの梁部によってそれぞれ連結されている。
【００５６】
また、例えば、通常、使用者が良く行う動作であるが、掌、中指、薬指、及び小指で筆記具本体を把持し、人差し指と親指で筆記具用キャップを着脱する場合にも、滑りにくく、容易に着脱ができるという利点もある。さらに、例えば、振動や衝撃に弱いボールペン等において、筆記具がキャップ頂部から垂直に落下した場合等、筆記具本体への衝撃は弾性体からなる筆記具用キャップによって緩和され、且つ、クリップ部材２によって強度も確保される。それによって、筆記部からの液漏れ等の不具合が発生する危険性も軽減されるという利点もある。
【００５７】
さらに、筆記具用キャップの大部分が弾性体によって覆われていることから、弾性体に覆われている任意の部分で擦過することによって、筆記具によって描かれた筆跡を消去する消去部材として用いることができる。例えば、当該筆記具用キャップを、鉛筆による筆跡の消去に用いることができ、また、熱によって変色するインクを有する筆記具に用いた場合には、紙面を擦過することによって摩擦熱を生じさせ、紙面上に描かれた筆跡を変色させることができる。なお、キャップ表面の表面粗さは、Ｒａ＝０．００９μｍ〜０．０１４μｍが望ましい。０．００９μｍより滑らかだと紙面上を滑り、０．０１４μｍ以上であると紙面を不用意に引っ掛けるおそれがある。また、ＪＩＳ  Ｋ６２５３  Ｄに規定されたデュロメータ硬度を３５〜９０とすることで、キャップ全体の剛性を向上させつつ、紙面を傷めずに摩擦熱を容易に発生させることができる。
【００５８】
なお、弾性体に覆われている部分を消去部材として用いる場合、通常、消しゴム付き鉛筆等に見られるような、筆記具本体の筆記部とは反対側の端部への消去部材の嵌合を行っていないため、消去部材が外れる等の不具合も生じないという利点もある。
【００５９】
また、キャップ本体３の射出成形において、金型のキャビティ内への入口であるゲート部をキャップ本体３の頂部ではなく、側面、例えばキャップ本体を４５°に傾斜しても筆記面又は紙面に当接しない位置に配置することによって、頂部表面を滑らかな外観にすることができる。また、頂部を消去部材として使用する際には、いわゆるゲート残り（又はゲート跡）によって紙面を傷つける等の問題なく、使用することが可能となる。
【００６０】
次に、別の実施形態による筆記具用キャップについて説明する。図１４は筆記具用キャップの斜視図であり、図１５は、図１４に示される筆記具用キャップの断面図であり、図１６は、図１４に示される筆記具用キャップのクリップ部材の斜視図であり、図１７は、図１４に示される筆記具用キャップを装着した筆記具全体の断面図である。
【００６１】
１０は筆記具用キャップ全体を示し、１２はクリップ部材、１３はキャップ本体を示す。以下の記載では、最初の実施形態による筆記具用キャップ１と異なる点について主に説明し、言及していない構成や効果は最初の実施形態と同様である。
【００６２】
キャップ本体１３の側面には、美的効果のために、キャップ本体１３の中心軸線に対して傾斜した環状の段差１３ｇが設けられている。
【００６３】
クリップ部材１２は、基部１４及び基部１４の外周面に一体的に形成された挟持部１５からなる。なお、本実施形態では、基部１４は環状に形成されており、以下、環状部１４と称す。
【００６４】
環状部１４は、後側の口径が前側の口径よりも大きく、その外観は略テーパー形状となっており、筆記具先端を受容するように構成されている。環状部１４の内壁は、前端部及び後端部から内方に所定長さだけ略円筒形状で形成され、これら円筒形状で形成された領域間はテーパー状に形成されている。さらに、後側の円筒形状の内壁部分には、長手方向に亘って中心軸線に向かって突出したガイド突起１４ｂが等間隔に複数設けられている。ガイド突起１４ｂの特徴及び効果は、上述の実施形態の筆記具用キャップ１におけるガイド突起４ｂと同様であるため説明は省略する。
【００６５】
挟持部１５は、キャップ本体１３との間に書類や衣類等の物品を、挟持することができるような弾性を有するように構成されている。
【００６６】
クリップ部材１２を形成する材料として、ポリカーボネート、アクリロニトリル・ブタジエン・スチレン等の合成樹脂が挙げられる。しかしながら、挟持部１５の屈曲時等における破断防止のため、弾性材料、特に以下に示すキャップ本体と同じ弾性材料を用いて形成してもよい。
【００６７】
キャップ本体１３は、筆記具のペン先を保護するように、一端が閉鎖された弾性体からなる筒状の部材であり、その側面に取付穴１３ｃが形成されている。キャップ本体１３内にクリップ部材１２の環状部１４が配置され、クリップ部材１２の挟持部１５が取付穴１３ｃを介してキャップ本体１３の外に延びるように設けられている。すなわち、キャップ本体１３は、クリップ部材１２の環状部１４の前側の開口を閉鎖すると共に後側の開口から所定長さだけ円筒状に延び、筆記具本体が挿入される開口を形成している。取付穴１３ｃは、上述の実施形態における取付穴３ｃよりも大きく形成され、環状部１４の一部が露出し、美的効果を奏している。
【００６８】
キャップ本体１３を形成する材料として、シリコーンゴム、ニトリルゴム、エチレンプロピレンゴム、エチレンプロピレンジエンゴム等のゴム材質やスチレン系エラストマー、オレフィン系エラストマー、ポリエステル系エラストマー等の熱可塑性エラストマーといった弾性材料、２種以上の弾性材料の混合物、及び、弾性材料と合成樹脂との混合物が挙げられる。
【００６９】
筆記具用キャップ１０は、シールゴム１６及びそれを保持するリブ１３ｅを有してもよいが、シールゴム１６及びリブ１３ｅの特徴及び効果は、上述の実施形態の筆記具用キャップ１におけるシールゴム６及びリブ３ｅと同様であるため説明は省略する。
【００７０】
本実施形態では、基部１４を環状に形成したが、キャップ本体を補強することができる任意の形状、例えば、Ｃ字型の横断面を有する形状であってもよい。また、本実施形態における筆記具用キャップ１０の筆記具本体との嵌合に関し、最初の実施形態と同様の構造を採用することが可能である。しかしながら、図１７に示されるような従来公知の嵌合構造を、クリップ部材１２の環状部１４よりも長手方向後端側のキャップ本体１３の内壁又はクリップ部材１２の環状部１４の内壁に形成してもよい。
【００７１】
なお、当然のことながら、本実施形態における筆記具用キャップ１０のクリップ部材１２の環状部１４についても、図１０乃至図１２に示されるような開口端部にフランジ部５ａを有する構造であってもよい。
【符号の説明】
【００７２】
１    筆記具用キャップ
２    クリップ部材
３    キャップ本体
３ｃ    取付穴
４    第１環状部、第１基部
５    第２環状部、第２基部
６    梁部
７    挟持部
【図１】
0005627421.tif 000002
【図２】
0005627421.tif 000003
【図３】
0005627421.tif 000004
【図４】
0005627421.tif 000005
【図５】
0005627421.tif 000006
【図６】
0005627421.tif 000007
【図７】
0005627421.tif 000008
【図８】
0005627421.tif 000009
【図９】
0005627421.tif 000010
【図１０】
0005627421.tif 000011
【図１１】
0005627421.tif 000012
【図１２】
0005627421.tif 000013
【図１３】
0005627421.tif 000014
【図１４】
0005627421.tif 000015
【図１５】
0005627421.tif 000016
【図１６】
0005627421.tif 000017
【図１７】
0005627421.tif 000018